(57)【要約】【課題】特殊な規格のプラグを必要とすることなく、専用線を敷設する費用を削減する。【解決手段】本発明の空調設備の制御システム１によれば、空調設備に取り付けられ、当該空調設備の圧力を検出し、検出値を示すディジタル信号を出力する第１の圧力センサ１Ａ１と、第１の圧力センサ１Ａ１から出力されたディジタル信号をアナログ変換し、得られたアナログ信号を、電力線を介して出力する第１の電力線搬送モデム１Ｂと、第１の電力線搬送モデム１Ｂから電力線を介して出力されたアナログ信号をディジタル変換し、得られたディジタル信号を出力する第２の電力線搬送モデム１Ｃとを備えて構成する。【選択図】      図１
2005127642.tif 000002
【特許請求の範囲】
【請求項１】
電力線を介して通信可能に接続された空調設備を制御する空調設備の制御システムであって、
前記空調設備に取り付けられ、当該空調設備の状態を検出し、検出値を示すディジタル信号を出力する状態検出手段と、
前記状態検出手段から出力されたディジタル信号をアナログ変換し、得られたアナログ信号を、前記電力線を介して出力する第１の電力線搬送モデムと、
前記第１の電力線搬送モデムから前記電力線を介して出力されたアナログ信号をディジタル変換し、得られたディジタル信号を出力する第２の電力線搬送モデムと
を備えた空調設備の制御システム。
【請求項２】
電力線を介して通信可能に接続された空調設備を制御する空調設備の制御システムであって、
前記空調設備に取り付けられ、当該空調設備の状態を検出し、検出値を示すディジタル信号を出力する状態検出手段と、
前記状態検出手段から出力されたディジタル信号をアナログ変換し、得られたアナログ信号を、前記電力線を介して出力する第１の電力線搬送モデムと、
前記第１の電力線搬送モデムから前記電力線を介して出力されたアナログ信号をディジタル変換し、得られたディジタル信号を出力する第２の電力線搬送モデムと、
前記第２の電力線搬送モデムから出力されたディジタル信号に基づいて、前記空調設備に制御指令を出力する制御装置と
を備えた空調設備の制御システム。
【請求項３】
請求項１又は請求項２に記載の空調設備の制御システムにおいて、
前記状態検出手段は、検出値を示すディジタル信号を、通信ネットワークを介して出力する空調設備の制御システム。
【請求項４】
請求項１又は請求項２に記載の空調設備の制御システムにおいて、
前記第２の電力線搬送モデムは、
前記第１の電力線搬送モデムから前記電力線を介して出力されたアナログ信号をディジタル変換し、得られたディジタル信号を、通信ネットワークを介して出力する空調設備の制御システム。
【請求項５】
電力線を介して通信可能に接続された空調設備を制御する空調設備の制御システムであって、
前記空調設備に取り付けられ、当該空調設備の状態を検出し、検出値を示すディジタル信号を出力する状態検出手段と、
前記状態検出手段から出力されたディジタル信号を変調して得られた電波信号を送信アンテナから送信する無線送信手段と、
前記無線送信手段により送信された電波信号を受信アンテナにより受信し、受信した電波信号を復調した後、得られたディジタル信号を出力する無線受信手段と、
前記無線受信手段から出力されたディジタル信号をアナログ変換し、得られたアナログ信号を、前記電力線を介して出力する第１の電力線搬送モデムと、
前記第１の電力線搬送モデムから前記電力線を介して出力されたアナログ信号をディジタル変換し、得られたディジタル信号を出力する第２の電力線搬送モデムと、
前記第２の電力線搬送モデムから出力されたディジタル信号に基づいて、前記空調設備に制御指令を出力する制御装置と
を備えた空調設備の制御システム。
【請求項６】
請求項５に記載の空調設備の制御システムにおいて、
前記第２の電力線搬送モデムは、前記第１の電力線搬送モデムから前記電力線を介して出力されたアナログ信号をディジタル変換し、得られたディジタル信号を、通信ネットワークを介して出力する空調設備の制御システム。
【請求項７】
電力線を介して通信可能に接続された空調設備を制御する空調設備の制御システムであって、
前記空調設備に取り付けられ、当該空調設備の状態を検出し、検出値を示すディジタル信号を出力する状態検出手段と、
前記状態検出手段から出力されたディジタル信号をアナログ変換し、得られたアナログ信号を、前記電力線を介して出力する第１の電力線搬送モデムと、
前記第１の電力線搬送モデムから出力されたアナログ信号をディジタル変換し、得られたディジタル信号を出力する第２の電力線搬送モデムと、
前記第２の電力線搬送モデムから出力されたディジタル信号を変調して得られた電波信号を送信アンテナから送信する無線送信手段と、
前記無線送信手段により送信された電波信号を受信し、受信した電波信号を復調して得られたディジタル信号を出力する無線受信手段と、
前記無線受信手段により出力されたディジタル信号に基づいて、前記空調設備に制御指令を出力する制御装置と
を備えた空調設備の制御システム。
【請求項８】
請求項７に記載の空調設備の制御システムにおいて、
前記状態検出手段は、当該空調設備の状態を検出し、検出値を示すディジタル信号を、通信ネットワークを介して出力する空調設備の制御システム。
【請求項９】
請求項１乃至請求項８の何れか１項に記載の空調設備の制御システムにおいて、
前記状態検出手段は、前記空調設備の有するダンパの開度を検出する空調設備の制御システム。
【請求項１０】
請求項1乃至請求項８の何れか１項に記載の空調設備の制御システムにおいて、
前記状態検出手段は、前記空調設備のダクトの端部における温度を検出する空調設備の制御システム。
【請求項１１】
請求項１乃至請求項８の何れか１項に記載の空調設備の制御システムにおいて、
前記状態検出手段は、前記空調設備が送出する空気の温度を検出する空調設備の制御システム。
【請求項１２】
請求項１乃至請求項８の何れか１項に記載の空調設備の制御システムにおいて、
前記状態検出手段は、前記空調設備が送出する空気の湿度を検出する空調設備の制御システム。
【請求項１３】
請求項１乃至請求項８の何れか１項に記載の空調設備の制御システムにおいて、
前記状態検出手段は、前記空調設備の有するファンコイルユニットの出口又は入り口における温度を検出する空調設備の制御システム。
【請求項１４】
請求項１乃至請求項８の何れか１項に記載の空調設備の制御システムにおいて、
前記状態検出手段は、前記空調設備の有するファンコイルユニットの出口又は入り口における温度を検出する空調設備の制御システム。
【請求項１５】
請求項１乃至請求項８の何れか１項に記載の空調設備の制御システムにおいて、
前記状態検出手段は、前記空調設備の有するファンコイルユニットの冷水制御バルブ又は温水制御バルブ内における冷媒の流量を検出する空調設備の制御システム。
【請求項１６】
請求項１乃至請求項８の何れか１項に記載の空調設備の制御システムにおいて、
前記状態検出手段は、前記空調設備の有するファンコイルユニットの冷水制御バルブ又は前記温水制御バルブの開度を検出する空調設備の制御システム
【請求項１７】
電力線を介して通信可能に接続された空調設備を制御する空調設備の制御システムであって、
前記空調設備に取り付けられ、当該空調設備の状態を検出し、検出値を示すディジタル信号を出力する第１の状態検出手段と、
前記空調設備に取り付けられ、当該空調設備の状態を検出し、検出値を示すディジタル信号を出力する第２の状態検出手段と、
前記第１の状態検出手段と前記第２の状態検出手段とによってそれぞれ検出された検出値の差を算出し、この差を示すディジタル信号を出力する検出差算出手段と、
前記検出差算出手段により出力されたディジタル信号をアナログ変換し、得られたアナログ信号を、前記電力線を介して出力する第１の電力線搬送モデムと、
前記第１の電力線搬送モデムから前記電力線を介して出力されたアナログ信号をディジタル変換し、得られたディジタル信号を出力する第２の電力線搬送モデムと
を備えた空調設備の制御システム。
【請求項１８】
電力線を介して通信可能に接続された空調設備を制御する空調設備の制御システムであって、
前記空調設備に取り付けられ、当該空調設備の状態を検出し、検出値を示すディジタル信号を出力する第１の状態検出手段と、
前記空調設備に取り付けられ、当該空調設備の状態を検出し、検出値を示すディジタル信号を出力する第２の状態検出手段と、
前記第１の状態検出手段と前記第２の状態検出手段とによってそれぞれ検出された検出値の差を算出し、この差を示すディジタル信号を出力する検出差算出手段と、
前記検出差算出手段により出力されたディジタル信号をアナログ変換し、得られたアナログ信号を、前記電力線を介して出力する第１の電力線搬送モデムと、
前記第１の電力線搬送モデムから前記電力線を介して出力されたアナログ信号をディジタル変換し、得られたディジタル信号を出力する第２の電力線搬送モデムと、
前記第２の電力線搬送モデムから出力されたディジタル信号に基づいて、前記空調設備に制御指令を出力する制御装置と
を備えた空調設備の制御システム。
【請求項１９】
電力線を介して通信可能に接続された空調設備を制御する空調設備の制御システムであって、
前記空調設備に取り付けられ、当該空調設備の状態を検出し、検出値を示すディジタル信号を出力する第１の状態検出手段と、
前記空調設備に取り付けられ、当該空調設備の状態を検出し、検出値を示すディジタル信号を出力する第２の状態検出手段と、
前記第１の状態検出手段と第２の状態検出手段とからそれぞれ出力された検出値の差を算出し、当該差を示すディジタル信号を出力する検出差算出手段と、
前記検出差算出手段から出力されたディジタル信号を変調して得られた電波信号を送信アンテナから送信する無線送信手段と、
前記無線送信手段により送信された電波信号を受信アンテナにより受信し、受信した電波信号を復調した後、得られたディジタル信号を出力する無線受信手段と、
前記無線受信手段から出力されたディジタル信号をアナログ変換し、得られたアナログ信号を、前記電力線を介して出力する第１の電力線搬送モデムと、
前記第１の電力線搬送モデムから前記電力線を介して出力されたアナログ信号をディジタル変換し、得られたディジタル信号を出力する第２の電力線搬送モデムと、
前記第２の電力線搬送モデムから出力されたディジタル信号に基づいて、前記空調設備に制御指令を出力する制御装置と
を備えた空調設備の制御システム。
【請求項２０】
電力線を介して通信可能に接続された空調設備を制御する空調設備の制御システムであって、
前記空調設備に取り付けられ、当該空調設備の状態を検出し、検出値を示すディジタル信号を出力する第１の状態検出手段と、
前記空調設備に取り付けられ、当該空調設備の状態を検出し、検出値を示すディジタル信号を出力する第２の状態検出手段と、
前記第１の状態検出手段と第２の状態検出手段とからそれぞれ出力された検出値の差を算出し、当該差を示すディジタル信号を出力する検出差算出手段と、
前記検出差算出手段から出力されたディジタル信号をアナログ変換し、得られたアナログ信号を、前記電力線を介して出力する第１の電力線搬送モデムと、
前記第１の電力線搬送モデムから出力されたアナログ信号をディジタル変換し、得られたディジタル信号を出力する第２の電力線搬送モデムと、
前記第２の電力線搬送モデムから出力されたディジタル信号を変調して得られた電波信号を送信アンテナから送信する無線送信手段と、
前記無線送信手段により送信された電波信号を受信し、受信した電波信号を復調して得られたディジタル信号を出力する無線受信手段と、
前記無線受信手段により出力されたディジタル信号に基づいて、前記空調設備に制御指令を出力する制御装置と
を備えた空調設備の制御システム。
【請求項２１】
請求項１７乃至請求項２０の何れか１項に記載の空調設備の制御システムにおいて、
前記第１の状態検出手段は、前記空調設備の有するダンパ内の温度を検出し、
前記第２の状態検出手段は、前記空調設備の有するダンパの外部の温度を検出する空調設備の制御システム。
【請求項２２】
請求項２乃至請求項１６の何れか１項に記載の空調設備の制御システムにおいて、
前記制御装置は、前記第２の電力線搬送モデムから出力されたディジタル信号に基づいて、前記空調設備の有するファンの回転数を制御するための制御指令を前記空調設備に出力する空調設備の制御システム。
【請求項２３】
請求項２乃至請求項１６の何れか１項に記載の空調設備の制御システムにおいて、
前記制御装置は、前記第２の電力線搬送モデムから出力されたディジタル信号に基づいて、前記空調設備の有するファンの運転台数を制御するための制御指令を前記空調設備に出力する空調設備の制御システム。
【請求項２４】
請求項２乃至請求項１６の何れか１項に記載の空調設備の制御システムにおいて、
前記制御装置は、前記第２の電力線搬送モデムから出力されたディジタル信号に基づいて、前記空調設備の有するポンプの回転数を制御するための制御指令を前記空調設備に出力する空調設備の制御システム。
【発明の詳細な説明】
【技術分野】
【０００１】
本発明は、複数の電力線搬送モデムを用いて同一ビル内の空調設備を制御する空調設備の制御システムに関する。
【背景技術】
【０００２】
従来、空調設備を制御する手法としては、ワイヤレスリモコンを用いてデマンド制御を行う手法が開示されている（特許文献１参照）。
【特許文献１】特開平１０−３０８３４号公報
【発明の開示】
【発明が解決しようとする課題】
【０００３】
しかしながら、このような空調設備の制御手法は、外部から通信ネットワークを介して遠隔操作を行う手法であり、ビル内の空調設備を、同一のビル内の制御装置で制御する場合に適用することは難しい。
【０００４】
また、この種の制御方法では、ＨＡ端子という日本工業規格に準拠したプラグを必要としなければならないので、既存のビル設備に、すぐに導入することは難しいという問題がある。
【０００５】
一方、大部分の既存のビル設備における制御対象の空調設備を制御する場合の検出値の伝送手法としては、空調設備に取り付けた各センサと制御装置との間に敷設された専用線を用いて、各センサの検出値と各センサのＩＤとを含む検出信号を制御装置まで伝送する手法が知られている。
【０００６】
このように、大部分の既存のビル設備で制御対象の空調設備を制御するには、各センサと制御装置との間に、専用線を敷設しなければならず、この専用線を敷設するための莫大な費用を必要とする。
【０００７】
そこで、本発明は、上記事情を考慮してなされたもので、特殊な規格のプラグを必要とすることなく、専用線を敷設する費用を削減することを可能にする空調設備の制御システムを提供することを目的とする。
【課題を解決するための手段】
【０００８】
本発明の骨子は、空調設備から検出された検出値を示すアナログ信号を、電力線を介して送信する第１の電力線搬送モデムと、電力線を介して送信されたアナログ信号をディジタル信号に変換して出力する第２の電力線搬送モデムとを備えた構成により、特殊な規格のプラグを必要とすることなく、専用線を敷設する費用を削減するという効果を達成することにある。
【０００９】
さて、以上のような本発明の骨子は、具体的には以下のような手段を講じることにより実現される。
【００１０】
本発明の一態様に係わる空調設備の制御システムは、電力線を介して通信可能に接続された空調設備を制御する空調設備の制御システムであって、空調設備に取り付けられ、当該空調設備の状態を検出し、検出値を示すディジタル信号を出力する状態検出手段と、状態検出手段から出力されたディジタル信号をアナログ変換し、得られたアナログ信号を、電力線を介して出力する第１の電力線搬送モデムと、第１の電力線搬送モデムから電力線を介して出力されたアナログ信号をディジタル変換し、得られたディジタル信号を出力する第２の電力線搬送モデムとを備えている。
【００１１】
このような構成によれば、複数の電力線搬送モデムを設けることにより、各電力線搬送モデム間では、既存の電力線を用いることが出来るので、特殊なプラグを必要とすることなく、電力線搬送モデムを設けた区間分の専用線を敷設する費用を削減することが出来る。
【００１２】
なお、上記空調設備の制御システムには、更に、第２の電力線搬送モデムから出力されたディジタル信号に基づいて、空調設備に制御指令を出力する制御装置を具備することがより好ましい。
【００１３】
また、上記状態検出手段は、検出値を示すディジタル信号を、通信ネットワークを介して出力してもよい。
【００１４】
更に、上記第２の電力線搬送モデムは、第１の電力線搬送モデムから電力線を介して出力されたアナログ信号をディジタル変換し、得られたディジタル信号を、通信ネットワークを介して出力してもよい。
【００１５】
本発明の他の一態様に係る空調設備の制御システムは、電力線を介して通信可能に接続された空調設備を制御する空調設備の制御システムであって、空調設備に取り付けられ、当該空調設備の状態を検出し、検出値を示すディジタル信号を出力する状態検出手段と、
状態検出手段から出力されたディジタル信号を変調して得られた電波信号を送信アンテナから送信する無線送信手段と、無線送信手段により送信された電波信号を受信アンテナにより受信し、受信した電波信号を復調した後、得られたディジタル信号を出力する無線受信手段と、無線受信手段から出力されたディジタル信号をアナログ変換し、得られたアナログ信号を、電力線を介して出力する第１の電力線搬送モデムと、第１の電力線搬送モデムから電力線を介して出力されたアナログ信号をディジタル変換し、得られたディジタル信号を出力する第２の電力線搬送モデムと、第２の電力線搬送モデムから出力されたディジタル信号に基づいて、空調設備に制御指令を出力する制御装置とを備えている。
【００１６】
このような構成とすれば、状態検出手段により検出された検出値を無線送信手段と無線受信手段との間で電波信号で送受信するので、専用線を設ける必要がなくなり、特殊な規格のプラグを必要とすることなく、専用線を敷設する費用を削減することが出来る。
【００１７】
なお、上記第２の電力線搬送モデムは、第１の電力線搬送モデムから電力線を介して出力されたアナログ信号をディジタル変換し、得られたディジタル信号を、通信ネットワークを介して出力してもよい。
【００１８】
本発明の更に他の一態様に係わる空調設備の制御システムは、電力線を介して通信可能に接続された空調設備を制御する空調設備の制御システムであって、空調設備に取り付けられ、当該空調設備の状態を検出し、検出値を示すディジタル信号を出力する状態検出手段と、状態検出手段から出力されたディジタル信号をアナログ変換し、得られたアナログ信号を、電力線を介して出力する第１の電力線搬送モデムと、第１の電力線搬送モデムから出力されたアナログ信号をディジタル変換し、得られたディジタル信号を出力する第２の電力線搬送モデムと、第２の電力線搬送モデムから出力されたディジタル信号を変調して得られた電波信号を送信アンテナから送信する無線送信手段と、無線送信手段により送信された電波信号を受信し、受信した電波信号を復調して得られたディジタル信号を出力する無線受信手段と、無線受信手段により出力されたディジタル信号に基づいて、空調設備に制御指令を出力する制御装置とを備えている。
【００１９】
このような構成とすれば、第２の電力線搬送モデムから出力された検出値を無線送信手段と無線受信手段との間で電波信号で送受信するので、専用線を設ける必要がなくなり、特殊な規格のプラグを必要とすることなく、専用線を敷設する費用を削減することが出来る。
【００２０】
なお、上記状態検出手段は、当該空調設備の状態を検出し、検出値を示すディジタル信号を、通信ネットワークを介して出力してもよい。
【００２１】
また、上記状態検出手段は、空調設備の有するダンパの開度を検出するものであってもよい。
【００２２】
更に、上記状態検出手段は、空調設備のダクトの端部における温度を検出するものであってもよい。
【００２３】
なお、上記状態検出手段は、空調設備が送出する空気の温度を検出するものであってもよい。
【００２４】
また、上記状態検出手段は、空調設備が送出する空気の湿度を検出するものであってもよい。
【００２５】
更に、上記状態検出手段は、空調設備の有するファンコイルユニットの出口又は入り口における温度を検出するものであってもよい。
【００２６】
なお、上記状態検出手段は、空調設備の有するファンコイルユニットの出口又は入り口における温度を検出するものであってもよい。
【００２７】
また、上記状態検出手段は、空調設備の有するファンコイルユニットの冷水制御バルブ又は温水制御バルブ内における冷媒の流量を検出するものであってもよい。
【００２８】
更に、上記状態検出手段は、空調設備の有するファンコイルユニットの冷水制御バルブ又は前記温水制御バルブの開度を検出するものであってもよい。
【００２９】
本発明の更に他の一態様に係る空調設備の制御システムは、電力線を介して通信可能に接続された空調設備を制御する空調設備の制御システムであって、空調設備に取り付けられ、当該空調設備の状態を検出し、検出値を示すディジタル信号を出力する第１の状態検出手段と、空調設備に取り付けられ、当該空調設備の状態を検出し、検出値を示すディジタル信号を出力する第２の状態検出手段と、第１の状態検出手段と第２の状態検出手段とによってそれぞれ検出された検出値の差を算出し、この差を示すディジタル信号を出力する検出差算出手段と、検出差算出手段により出力されたディジタル信号をアナログ変換し、得られたアナログ信号を、電力線を介して出力する第１の電力線搬送モデムと、第１の電力線搬送モデムから電力線を介して出力されたアナログ信号をディジタル変換し、得られたディジタル信号を出力する第２の電力線搬送モデムとを備えている。
【００３０】
このような構成とすれば、第１の状態検出手段による検出値と、第２の状態検出手段による検出値との差を検出差算出手段が算出し、算出した差を示すディジタル信号を第１の電力線搬送モデムに出力するので、専用線を設ける必要がなくなり、特殊な規格のプラグを必要とすることなく、専用線を敷設する費用を削減することが出来るのに加え、実行する制御の精度をより一層高めることが出来る。
【００３１】
なお、上記空調設備の制御システムには、更に、第２の電力線搬送モデムから出力されたディジタル信号に基づいて、空調設備に制御指令を出力する制御装置を具備することがより好ましい。
【００３２】
本発明の更に他の一態に係る空調設備の制御システムは、電力線を介して通信可能に接続された空調設備を制御する空調設備の制御システムであって、空調設備に取り付けられ、当該空調設備の状態を検出し、検出値を示すディジタル信号を出力する第１の状態検出手段と、空調設備に取り付けられ、当該空調設備の状態を検出し、検出値を示すディジタル信号を出力する第２の状態検出手段と、第１の状態検出手段と第２の状態検出手段とからそれぞれ出力された検出値の差を算出し、当該差を示すディジタル信号を出力する検出差算出手段と、検出差算出手段から出力されたディジタル信号を変調して得られた電波信号を送信アンテナから送信する無線送信手段と、無線送信手段により送信された電波信号を受信アンテナにより受信し、受信した電波信号を復調した後、得られたディジタル信号を出力する無線受信手段と、無線受信手段から出力されたディジタル信号をアナログ変換し、得られたアナログ信号を、電力線を介して出力する第１の電力線搬送モデムと、第１の電力線搬送モデムから電力線を介して出力されたアナログ信号をディジタル変換し、得られたディジタル信号を出力する第２の電力線搬送モデムと、第２の電力線搬送モデムから出力されたディジタル信号に基づいて、空調設備に制御指令を出力する制御装置とを備えている。
【００３３】
このような構成によれば、第１の状態検出手段と第２の状態検出手段とからそれぞれ出力された検出値の差が算出され、当該差を示すディジタル信号が検出差算出手段により出力され、検出差算出手段から出力されたディジタル信号を変調して得られた電波信号が送信アンテナから無線送信手段により送信され、無線送信手段により送信された電波信号が受信アンテナにより受信され、受信された電波信号が復調された後、得られたディジタル信号が第1の電力線搬送モデムに出力されるので、専用線を設ける必要がなくなり、特殊な規格のプラグを必要とすることなく、専用線を敷設する費用を削減することが出来る。
【００３４】
本発明の更に他の一態様に係る空調設備の制御システムは、電力線を介して通信可能に接続された空調設備を制御する空調設備の制御システムであって、空調設備に取り付けられ、当該空調設備の状態を検出し、検出値を示すディジタル信号を出力する第１の状態検出手段と、空調設備に取り付けられ、当該空調設備の状態を検出し、検出値を示すディジタル信号を出力する第２の状態検出手段と、第１の状態検出手段と第２の状態検出手段とからそれぞれ出力された検出値の差を算出し、当該差を示すディジタル信号を出力する検出差算出手段と、検出差算出手段から出力されたディジタル信号をアナログ変換し、得られたアナログ信号を、電力線を介して出力する第１の電力線搬送モデムと、第１の電力線搬送モデムから出力されたアナログ信号をディジタル変換し、得られたディジタル信号を出力する第２の電力線搬送モデムと、第２の電力線搬送モデムから出力されたディジタル信号を変調して得られた電波信号を送信アンテナから送信する無線送信手段と、無線送信手段により送信された電波信号を受信し、受信した電波信号を復調して得られたディジタル信号を出力する無線受信手段と、無線受信手段により出力されたディジタル信号に基づいて、空調設備に制御指令を出力する制御装置とを備えている。
【００３５】
このような構成とすれば、第２の電力線搬送モデムから出力されたディジタル信号を変調して得られた電波信号が送信アンテナから無線送信手段により送信され、無線送信手段により送信された電波信号が受信され、受信された電波信号が復調されて得られたディジタル信号が無線受信手段により制御装置に出力されるので、専用線を設ける必要がなくなり、特殊な規格のプラグを必要とすることなく、専用線を敷設する費用を削減することが出来る。
【００３６】
なお、上記第１の状態検出手段は、空調設備の有するダンパ内の温度を検出し、第２の状態検出手段は、空調設備の有するダンパの外部の温度を検出してもよい。
【００３７】
また、上記制御装置は、第２の電力線搬送モデムから出力されたディジタル信号に基づいて、空調設備の有するファンの回転数を制御するための制御指令を空調設備に出力してもよい。
【００３８】
更に、上記制御装置は、第２の電力線搬送モデムから出力されたディジタル信号に基づいて、空調設備の有するファンの運転台数を制御するための制御指令を空調設備に出力してもよい。
【００３９】
なお、上記制御装置は、第２の電力線搬送モデムから出力されたディジタル信号に基づいて、空調設備の有するポンプの回転数を制御するための制御指令を空調設備に出力してもよい。
【発明の効果】
【００４０】
本発明によれば、特殊な規格のプラグを必要とすることなく、専用線を敷設する費用を削減することを可能にする空調設備の制御システムを提供出来る。
【発明を実施するための最良の形態】
【００４１】
以下、本発明の各実施の形態を、図面を参照しながら詳細に説明する。
【００４２】
＜第１の実施の形態＞
図１は、本発明の第１の実施の形態に係る空調設備の制御システム１の一例を示す模式図である。
【００４３】
図２は、本実施の形態に係る空調設備の制御システム１の一例を示す機能ブロック図である。
【００４４】
本実施の形態に係る空調設備の制御システム１は、例えば図１に示すようなビル又は工場等に設置された冷却系統２内の空調設備のファン２Ｅ４を駆動する電動機２Ｅ５を制御対象とする。
【００４５】
冷却系統２は、冷凍機２Ａと、この冷凍機２Ａに第１の冷媒管２Ｂで接続された第１の循環ポンプ２Ｃと、この第１の循環ポンプ２Ｃと第２の冷媒管２Ｄで接続された空調設備２Ｅと、この空調装置２Ｅに第３の冷媒管２Ｆで接続され、かつ、冷凍機２Ａと第４の冷媒管２Ｇで接続された第２の循環ポンプＨと、前述した冷凍機２Ａに第５の冷媒管２Ｉで接続された冷却塔２Ｊと、この冷却塔２Ｊに第６の冷媒管２Ｋで接続され、冷凍機２Ａと第７の冷媒管２Ｌで接続された第３の循環ポンプ２Ｍとを具備している。
【００４６】
また、空調設備２Ｅは、還気ダクト２Ｅ１と、第１の給気ダクト２Ｅ２と、液ガス交換器２Ｅ３と、ファン２Ｅ４と、電動機２Ｅ５と、第２の給気ダクト２Ｅ６とを具備している。
【００４７】
冷凍機２Ａは、フロンガス又は代替フロンガスにより冷媒である水を冷却し、冷却した水を第１の冷媒管２Ｂを介して第１の循環ポンプ２Ｃに送出すると共に、調和空気との熱交換により温度が上昇した冷媒である水を第３の循環ポンプ２Ｍに送出する。
【００４８】
第１の循環ポンプ２Ｃは、冷凍機から送出された水を、第２の冷媒管２Ｄを介して接続された空調設備２Ｅに送出する。
【００４９】
還気ダクト２Ｅ１は、還気吸い込み口２Ｅ７から取り込んだ還気を、液ガス交換器２Ｅ３に送出するために設けられたダクトである。
【００５０】
第１の給気ダクト２Ｅ２は、新鮮空気取り込み口２Ｅ８から取り込んだ新鮮空気を液ガス交換器２Ｅ３に送出するために設けられたダクトである。
【００５１】
液ガス交換器２Ｅ３は、内部に冷媒である水を流通させる冷媒管と、還気と新鮮空気とを混合した調和空気を給気吹き出し口２Ｅ９に送出するための給気ダクトとが挿管され、冷媒である水と調和空気との間で熱交換を行うための装置である。
【００５２】
この液ガス交換器２Ｅ３は、冷凍機２Ａで冷却した水と調和空気との間で熱交換を行い、熱交換により温度が上昇した水を冷凍機２Ａに送出する。
【００５３】
ファン２Ｅ４は、液ガス交換器２Ｅ３内で熱交換を行った調和空気を、第２の給気ダクト２Ｅ６と給気吹き出し口２Ｅ９とを介して室内に送出するためのものである。
【００５４】
電動機２Ｅ５は、ファン２Ｅ４を駆動するための装置である。
【００５５】
第２の給気ダクト２Ｅ６は、液ガス交換器２Ｅ３から送出された調和空気を給気吹き出し口２Ｅ９を介して室内に送出するために設けられたダクトである。
【００５６】
第２の循環ポンプ２Ｇは、液ガス交換器２Ｅ３から第３の冷媒管２Ｆを介して送出された水を第４の冷媒管２Ｈを介して冷凍機２Ａに戻すために設けられたポンプである。
【００５７】
冷却塔２Ｊは、冷凍機２Ａから送出された水から外部への熱の放出を行い、熱を放出した水を、冷凍機２Ａに送出する。
【００５８】
第３の循環ポンプ２Ｍは、冷凍機２Ａから送出された水を、第５の冷媒管２Ｉ、冷却塔２Ｊ、第６の冷媒管２Ｋ、及び第７の冷媒管２Ｌを介して冷凍機２Ａまで循環させるために設けられたポンプである。
【００５９】
以上のような一連の冷熱サイクルによって、冷却系統２は、調和空気の温度調節を行っている。
【００６０】
なお、本実施の形態の制御対象は、空調設備のファン２Ｅ４を駆動する電動機２Ｅ５であったが、これに限らず、第１の循環ポンプ２Ｃ、第２の循環ポンプ２Ｇ、及び第３の循環ポンプ２Ｍのうちの何れかに変更してもよい。
【００６１】
本実施の形態に係る空調設備の制御システム１は、空調設備の第２の給気ダクト２Ｅ６の端部に設けられた第１の圧力センサ１Ａ１と、この第１の圧力センサ１Ａ１と専用線であるＬＡＮケーブルで接続された第１の電力線搬送モデム１Ｂと、この第１の電力線搬送モデム１Ｂとビル内の既存の電力線で接続された第２の電力線搬送モデム１Ｃと、この第２の電力線搬送モデム１Ｃと専用線であるＬＡＮケーブルで接続された制御装置１Ｄとを具備している。
【００６２】
なお、第１の圧力センサ１Ａ１は、フロア毎に個別に設けられた全ての空調設備の第２の給気ダクトの端部に設けられているので、実際には複数設けられているが、以下の説明では、簡略化を図る観点から、空調設備２Ｅの有する第２の給気ダクト２Ｅ６の端部に設けられた第１の圧力センサ１Ａ１に関してのみ説明する。
【００６３】
第１の電力線搬送モデム１Ｂは、ディジタル信号受信部１Ｂ１と、Ｄ／Ａ変換部１Ｂ２と、アナログ信号出力部１Ｂ３とを具備している。
【００６４】
第２の電力線搬送モデム１Ｃは、アナログ信号受信部１Ｃ１と、Ａ／Ｄ変換部１Ｃ２と、ディジタル信号出力部１Ｃ３とを具備している。
【００６５】
制御装置１Ｄは、検出データ受信部１Ｄ１と、データ入力部１Ｄ２と、センサ情報記憶部１Ｄ３と、検出データ記憶部１Ｄ４と、データ表示部１Ｄ５と、制御部１Ｄ６と、制御指令出力部１Ｄ７とを具備している。
【００６６】
第１の圧力センサ１Ａ１は、第２の給気ダクト２Ｅ６の端部に設けられており、第２の給気ダクト２Ｅ６の一端の給気吹き出し口から、ビルの各フロア内に送出する調和空気の圧力を検出し、検出圧力に圧力センサのＩＤを付加する。そして、第１の圧力センサ１Ａ１は、圧力センサのＩＤを付加した検出値を含むディジタル信号を、専用線であるＬＡＮケーブルを介して接続された第１の電力線搬送モデム１Ｂに出力する。
【００６７】
なお、本実施の形態では、第１の圧力センサ１Ａ１と、第１の電力線搬送モデム１Ｂとを専用線であるＬＡＮケーブルで接続していたが、これに限らず、ビル内の同一フロア又は階床に複数のセンサが設けられている場合には、周知のハブ、又はブリッジ等の集線装置により第１の圧力センサ１Ａ１と第１の電力線搬送モデム１Ｂとを接続してもよいことはいうまでもない。
【００６８】
以下、本実施の形態に係る空調設備の制御システム１において、第１の圧力センサ１Ａ１を設置する位置に関し、具体的に説明する。
【００６９】
図３は、本実施の形態に係る空調設備の制御システム１に関し、可変風量ファンの部分負荷特性、換言すれば、第２の給気ダクト２Ｅ６内で第１の圧力センサ１Ａ１を設置する位置毎の空調設備へのエネルギーの入力比と、第２の給気ダクト２Ｅ６内の調和空気の流量比との関係の一例を示す模式図である。
【００７０】
なお、図３において、横軸は、第２の給気ダクト２Ｅ６内の圧力を一定にする制御を実施した場合であって、定格、換言すれば第２の給気ダクト２Ｅ６の端部に設けられた図示しないダンパの開度を１００パーセントとした場合における当該第２の給気ダクト２Ｅ６内の調和空気の流量を基準とする調和空気の流量比を示す。
【００７１】
また、図３において、縦軸は、第２の給気ダクト２Ｅ６内の圧力を一定にする制御を実施した場合であって、第２の給気ダクト内のダンパの開度を１００パーセントとした場合に当該第２の給気ダクト２Ｅ６内の圧力を一定に制御するためにファン２Ｅ４を駆動するのに要する電力を基準とするエネルギー比を示す。
【００７２】
図３では、第１の圧力センサ１Ａ１をファン直後に設置した場合における空調設備に対するエネルギーの入力比と、第２の給気ダクト２Ｅ６内の調和空気の流量比との間の関係が（１）で示されている。
【００７３】
また、図３では、第１の圧力センサ１Ａ１を前述した第２の給気ダクト２Ｅ６のダクト途中に設置した場合における空調設備に対するエネルギーの入力比と、第２の給気ダクト２Ｅ６内の調和空気の流量比との間の関係が（２）で示されている。
【００７４】
更に、図３では、第１の圧力センサ１Ａ１を第２の給気ダクト２Ｅ６の端部に設置した場合における空調設備に対するエネルギーの入力比と、第２の給気ダクト２Ｅ６内の調和空気の流量比との間の関係が（３）で示されている。
【００７５】
なお、「ファン直後」とは、空調機の内部もしくはその近傍の領域を意味する。
【００７６】
また、「第２の給気ダクト内の端部」とは、第２の給気ダクト内の領域であって、空調設備の有するダンパに隣接した又は近傍の領域を意味する。
【００７７】
なお、「第２の給気ダクト内の途中」とは、「ファン直後」及び「第２の給気ダクト内の端部」の双方の領域を除いた第２の給気ダクト内の領域を意味する。第２の給気ダクト内の途中に該当する領域としては、例えば、空調設備の第２の給気ダクト内の分岐部分が挙げられる。
【００７８】
図３に示すように、第２の給気ダクト２Ｅ６内の調和空気の流量比を１００パーセント以外の同一流量比、例えば５０パーセントに固定した場合には、第１の圧力センサ１Ａ１を第２の給気ダクト２Ｅ６の端部に設置した場合における空調設備に対するエネルギーの入力比が一番小さくなっている。
【００７９】
すなわち、空調設備全体の省エネルギーを図る観点からすると、第１の圧力センサ１Ａ１は、第２の給気ダクト２Ｅ６の端部に設置することが最も好ましいことになる。
【００８０】
従って、本実施の形態に係る第１の圧力センサ１Ａ１は、第２の給気ダクト２Ｅ６の端部に設置されている。
【００８１】
なお、本実施の形態では、センサは、第１の圧力センサ１Ａ１であったが、これに限らず、温度センサ又は湿度センサであってもよい。この場合においても温度センサ又は湿度センサを設ける位置は、制御対象の空調設備の有する第２の給気ダクト２Ｅ６の端部がより好ましい。
【００８２】
また、本実施の形態では、同一階床のフロア毎に、１つのセンサが設けられていたが、これに限らず、同一階床のフロア毎に複数のセンサを設けてもよい。この場合、制御装置１Ｄ内に、センサ毎に定められた検出値の差に関する所定の許容値の範囲を記憶した許容値記憶部を新たに設け、かつ、同一階床に設けられた各センサの検出値の差異を算出する機能と、差が所定の許容値の範囲内にあるかどうかによって、空調設備を制御する制御指令と空調設備のＩＤとの組を、制御指令出力部１Ｄ７に出力する機能とを制御部１Ｄ６に付加するものとする。
【００８３】
また、この場合、空調設備に取り付けた複数のセンサと第１の電力線搬送モデム１Ｂとは、専用線であるＬＡＮケーブルとハブ等の集線装置とによって接続するものとする。
【００８４】
なお、本実施の形態では、センサは、第２の給気ダクト２Ｅ６の端部に取り付けられた第１の圧力センサ１Ａ１であったが、これに限らず、第２の給気ダクト２Ｅ６の端部近傍に設けられた図示しないダンパの開度を検出するセンサであってもよい。
【００８５】
また、本実施の形態では、センサは、空調設備の第２の給気ダクト２Ｅ６の図示しないダンパの前後に設置された複数の圧力センサであってもよい。この場合、各圧力センサの検出値の差を算出し、算出した検出値の差を示すディジタル信号を第１の電力線搬送モデム１Ｂに出力する検出差算出部を、圧力センサ側に別途設けるものとする。
【００８６】
更に、本実施の形態では、センサは、空調設備の図示しないファンコイルユニットの冷水バルブ又は温水バルブの開度を検出するセンサであってもよい。
【００８７】
なお、本実施の形態では、センサは、空調設備の図示しないファンコイルユニットの入り口又は出口との温度を検出する複数の圧力センサであってもよい。
【００８８】
また、本実施の形態では、センサは、空調設備の図示しないファンコイルユニットの冷水バルブ又は温水バルブの前後の温度を検出する複数の温度センサであってもよい。
【００８９】
更に、本実施の形態では、センサは、冷水制御バルブ又は温水制御バルブの開度を検出する複数のセンサであってもよい。
【００９０】
なお、本実施の形態では、センサは、空調設備の図示しないファンコイルユニットの冷水制御バルブ又は温水制御バルブ内の冷媒の流量を検出するセンサであってもよい。
【００９１】
ディジタル信号受信部１Ｂ１は、第１の圧力センサ１Ａ１から出力された、第１の圧力センサ１Ａ１のＩＤを付加した検出温度を含むディジタル信号を受け取り、この受け取った第１の圧力センサ１Ａ１のＩＤを付加した検出圧力を含むディジタル信号をＤ／Ａ変換部１Ｂ２に出力する。
【００９２】
Ｄ／Ａ変換部１Ｂ２は、ディジタル信号受信部１Ｂ１から出力されたディジタル信号を受け取り、受け取ったディジタル信号をＤ／Ａ変換して、得られたアナログ信号をアナログ信号出力部１Ｂ３に出力する。
【００９３】
アナログ信号出力部１Ｂ３は、Ｄ／Ａ変換部１Ｂ２から出力された第１の圧力センサ１Ａ１のＩＤを付加した検出圧力を含むアナログ信号を受け取り、受け取った第１の圧力センサ１Ａ１のＩＤを付加した検出圧力を含むアナログ信号を、電力線を介して接続された第２の電力線搬送モデム１Ｃに出力する。
【００９４】
アナログ信号受信部１Ｃ１は、第１の電力線搬送モデム１Ｂから電力線を介して出力された第１の圧力センサ１Ａ１のＩＤを付加した検出圧力を含むアナログ信号を受け取り、受け取ったアナログ信号をＡ／Ｄ変換部１Ｃ２に出力する。
【００９５】
Ａ／Ｄ変換部１Ｃ２は、アナログ信号受信部１Ｃ１から出力された第１の圧力センサ１Ａ１のＩＤを付加した検出圧力を含むアナログ信号をＡ／Ｄ変換し、このＡ／Ｄ変換した結果、得られたディジタル信号をディジタル信号出力部１Ｃ３に出力する。
【００９６】
ディジタル信号出力部１Ｃ３は、Ａ／Ｄ変換部１Ｃ２から出力されたディジタル信号を受け取り、受け取ったディジタル信号を、専用線であるＬＡＮケーブルを介して接続された制御装置１Ｄに出力する。
【００９７】
検出データ受信部１Ｄ１は、第２の電力線搬送モデム１Ｃから出力された、ディジタル信号に含まれる第１の圧力センサ１Ａ１のＩＤを付加した検出圧力を受け取り、受け取った第１の圧力センサ１Ａ１のＩＤを付加した検出圧力を制御部１Ｄ６に出力する。
【００９８】
データ入力部１Ｄ２は、通常のデータ入力機能を有しており、操作員の操作により、制御装置自体の起動要求、及び制御装置自体の終了要求が入力される。
【００９９】
センサ情報記憶部１Ｄ３には、圧力センサのＩＤと、センサ毎の検出圧力の許容範囲と、制御対象の電動機のＩＤとが対応して記憶されている。
【０１００】
検出データ記憶部１Ｄ４には、圧力センサのＩＤと、圧力センサが検出した検出圧力と、検出した検出時刻との組が記憶されている。
【０１０１】
データ表示部１Ｄ５には、検出圧力と圧力センサのＩＤと許容範囲と制御対象の電動機２Ｅ５のＩＤとが表示される。
【０１０２】
制御部１Ｄ６は、データ入力部１Ｄ２から入力された起動要求が入力されたか否かにより、制御装置１Ｄが起動されたか否かを判定する機能と、当該判定の結果、制御装置１Ｄが起動されたと判定した場合、検出データ受信部１Ｄ１から出力された圧力センサのＩＤと、検出圧力との組を受け取る機能と、受け取った圧力センサのＩＤに対応する許容温度範囲と制御対象の電動機のＩＤとをセンサ情報記憶部１Ｄ３から読み出す機能と、受け取った検出圧力が読み出した許容範囲内であるか否かを判定する機能と、当該判定の結果、検出圧力が許容範囲内にあると判定した場合、検出圧力と圧力センサのＩＤと許容範囲と制御対象の電動機のＩＤとをデータ表示部１Ｄ５に表示させると共に、受け取った検出圧力と圧力センサのＩＤとの組に検出時刻を付加して検出データ記憶部１Ｄ４に記憶させる機能と、前述した判定の結果、検出圧力が許容範囲内にないと判定した場合、受け取った検出圧力を許容範囲内に保つようにファンを回転させる電動機の回転数制御を行うための制御指令と対象の空調設備の有するファンを駆動する電動機のＩＤとの組を制御指令出力部１Ｄ７に出力する機能と、検出圧力と圧力センサのＩＤと許容範囲と電動機のＩＤとを対応させてデータ表示部１Ｄ５に表示させると共に、受け取った検出圧力と圧力センサのＩＤとの組に、検出時刻を付加して検出データ記憶部１Ｄ４に記憶させる機能と、データ入力部１Ｄ２から終了要求が入力されたか否かを判定する機能と、当該判定の結果、終了要求が入力されたと判定した場合、その動作を終了する機能とを有する。
【０１０３】
なお、本実施の形態に係る制御部１Ｄ６は、空調設備の有するファンを回転させる電動機の回転数制御を行うための制御指令と空調設備のＩＤとの組を出力していたが、これに限らず、複数台数のファンの台数制御を行うための制御指令と、対象となる電動機のＩＤとの組をそれぞれの空調設備のファンを駆動する電動機に制御指令出力部１Ｄ７を介して出力してもよい。
【０１０４】
また、本実施の形態に係る制御部１Ｄ６は、空調設備の有するファンの回転数制御とファンの台数制御とを共に実現するための制御指令と対象となる電動機のＩＤとの組を制御指令出力部１Ｄ７を介して対象となる空調設備のファンを駆動する電動機に出力してもよい。
【０１０５】
なお、本実施の形態に係る制御部１Ｄ６は、冷凍機２Ａで冷却した水を、第１の冷媒管２Ｂ及び第２の冷媒管２Ｄを介して接続された空調設備内の液ガス交換器２Ｅ３に送出するための第１の循環ポンプ２Ｃを駆動する電動機の回転数を制御する制御指令を、制御指令出力部１Ｄ７を介して第１の循環ポンプ２Ｃを駆動する電動機に出力する機能を有していてもよい。
【０１０６】
また、本実施の形態に係る制御部１Ｄ６には、測定した温度から冷凍機の成績係数（ＣＯＰ）を算出する機能と、算出した成績係数（ＣＯＰ）をデータ表示部１Ｄ５に表示させる機能とを更に付加してもよい。
【０１０７】
この場合、制御装置１Ｄは、冷媒循環量（ｋｇ／ｈ）と、圧縮機吸込み冷媒蒸気の比エンタルピーｈ１（ｋcal／ｋｇ）と、圧縮機における断熱圧縮後における冷媒ガスの比エンタルピー値ｈ２（ｋcal／ｋｇ）と、絞り膨張時、換言すれば、蒸発器入り口における冷媒ガスの比エンタルピー値ｈ４（ｋcal／ｋｇ）との値とが対応して記憶されたテーブルを有しているものとする。
【０１０８】
なお、成績係数とは、冷凍能力Φ０（Ｒｔ）と圧縮機駆動の軸動力Ｐ（ｋＪ／ｈ）との比率、換言すれば（ｈ１−ｈ４）／（ｈ２−ｈ１）のことをいう。ここで、記号「／」は、商を意味する。
【０１０９】
制御指令出力部１Ｄ７は、制御部１Ｄ６から出力された制御指令と、対象となる電動機のＩＤとの組を、対象となる空調設備の電動機に出力する。
【０１１０】
また、本実施の形態では、制御装置１Ｄは、第２の給気ダクト２Ｅ６の端部に設けられた圧力センサの検出圧力と圧力センサのＩＤと許容範囲と制御対象の電動機２Ｅ５のＩＤとを表示していたが、これに限らず、各空調区画の温度、湿度、空調設備の第２の給気ダクト２Ｅ６から送出された調和空気の温度、空調機の第２の給気ダクト２Ｅ６から送出された調和空気の湿度、図示しないファンコイルユニットにおける冷水又は温水流量、ファンコイルユニットにおける冷水又は温水温度、及びファンコイルユニットにおける冷水又は温水圧力のうち少なくとも１つをデータ表示部１Ｄ５に表示してもよい。
【０１１１】
なお、本実施の形態では、制御装置１Ｄは、第２の給気ダクト２Ｅ６の端部に設けられた第１の圧力センサ１Ａ１の検出圧力と圧力センサのＩＤと許容範囲と制御対象の電動機２Ｅ５のＩＤとを表示していたが、これに限らず、各空調区画の温度、湿度、空調機の第２の給気ダクトから送出された調和空気の温度、空調設備の第２の給気ダクト２Ｅ６から送出された調和空気の湿度、図示しないファンコイルユニットにおける冷水又は温水流量、ファンコイルユニットにおける冷水又は温水温度、及びファンコイルユニットにおける冷水又は温水圧力のうち少なくとも１つを記録する機能を有していてもよい。この場合、制御装置１Ｄは、記録した検出値の時系列変化、換言すればトレンドを表示してもよい
また、本実施の形態では、第１の圧力センサ１Ａ１から電力線搬送モデム１Ｂまで専用線であるＬＡＮケーブルを介して検出圧力と圧力センサのＩＤとの組を送信したが、これに限らず、第１の圧力センサ１Ａ１から第１の電力線搬送モデム１Ｂに検出圧力と圧力センサのＩＤとを送信する手法としては、無線ＬＡＮの規格、又はＢｌｕｅｔｏｏｔｈの規格に準拠した無線送信装置と無線受信装置とで送信してもよい。この場合、Ｂｌｕｅｔｏｏｔｈの規格に準拠した場合におけるネットワークの全体構成としては、周知のアドホック・ネットワークにより構成されていてもよいし、周知のインフラストラクチャネットワークにより構成されていてもよい。
【０１１２】
なお、本実施の形態では、第２の電力線搬送モデム１Ｃから制御装置１Ｄまで専用線であるＬＡＮケーブルを介して検出圧力と圧力センサのＩＤとの組を含むディジタル信号を出力していたが、これに限らず、第２の電力線搬送モデム１Ｃから制御装置１Ｄに検出圧力と圧力センサのＩＤとを送信する手法としては、無線ＬＡＮの規格又はＢｌｕｅｔｏｏｔｈの規格に準拠した無線送信装置と無線受信装置とで送信してもよい。この場合、Ｂｌｕｅｔｏｏｔｈの規格に準拠した無線送信装置と、Ｂｌｕｅｔｏｏｔｈの規格に準拠した無線受信装置とは、図示しないアクセスポイントを介して検出圧力と圧力センサのＩＤとの送信を行うものとする。
【０１１３】
更に、本実施の形態では、図４に示すように、空調設備と制御装置１Ｄとが相異なる階床に設けられている場合、同一階床では電力線ＥＬ１〜ＥＬ５及び電力線搬送モデムＥＭ１及び電力線搬送モデムＥＭ２を利用し、相異なる階床間では、ＬＡＮケーブルＬＫ１〜ＬＫ３を利用して第１の圧力センサ１Ａ１１及び第１の圧力センサ１Ａ１２の検出圧力と各圧力センサのＩＤとを送信することがより好ましい。なお、この例では、各階間は、周知の専用線コンバータＥＣ１〜ＥＣ３を用いることにより、圧力センサの検出圧力と圧力センサのＩＤとを送信している。この場合、設けるセンサとしては、制御装置１Ｄのオペレータに省エネルギー運転を促す観点から、温度センサであることがより好ましい。
【０１１４】
また、本実施の形態では、例えば、同一室内のように無線通信が可能な範囲では、無線方式を用い、例えば壁間又は階間等のように無線通信が不可能な範囲では、電力線を用いて圧力センサの検出圧力と圧力センサのＩＤとを送信することが最も好ましい。
【０１１５】
次に、以上のように構成された空調設備の制御システム１内における制御装置１Ｄの動作に関し、図を用いて説明する。
【０１１６】
図５は、本実施の形態に係る制御装置１Ｄの有する制御部１Ｄ６の動作を説明するためのフローチャートである。
【０１１７】
始めに、制御部１Ｄ６は、起動されると（ＳＴ１：Ｙｅｓ）、検出データ受信部１Ｄ１から出力された圧力センサのＩＤと、検出圧力との組を受け取る（ＳＴ２）。
【０１１８】
次に、制御部１Ｄ６は、受け取った圧力センサのＩＤに対応する許容温度範囲と制御対象の電動機のＩＤとをセンサ情報記憶部１Ｄ３から読み出す（ＳＴ３）。
【０１１９】
次に、制御部１Ｄ６は、受け取った検出圧力が読み出した許容範囲内であるか否かを判定する（ＳＴ４）。
【０１２０】
制御部１Ｄ６は、この工程ＳＴ４で、検出圧力が許容範囲内にあると判定した場合（ＳＴ４：Ｙｅｓ）、検出圧力と圧力センサのＩＤと許容範囲と制御対象の電動機のＩＤとを対応させてデータ表示部１Ｄ５に表示させると共に、受け取った検出圧力と圧力センサのＩＤとの組に検出時刻を付加して検出データ記憶部１Ｄ４に記憶させる（ＳＴ５）。その後、制御部１Ｄ６は、後述する工程ＳＴ８に移行する。
【０１２１】
一方、制御部１Ｄ６は、前述した工程ＳＴ４で、検出圧力が許容範囲内にないと判定した場合（ＳＴ４：Ｎｏ）、受け取った検出圧力を許容範囲内に保つようにファンを回転させる電動機の回転数制御を行うための制御指令と対象の空調設備の有するファンを駆動する電動機のＩＤとの組を制御指令出力部１Ｄ７に出力する（ＳＴ６）。
【０１２２】
これにより、制御指令出力部１Ｄ７から空調設備のファンを回転させる電動機の回転数制御を行うための制御指令とこの電動機のＩＤとの組が専用線を介して該当する空調設備に出力されるので、空調設備のファンの回転数が制御される。
【０１２３】
工程ＳＴ７では、制御部１Ｄ６は、検出圧力と圧力センサのＩＤと許容範囲と制御対象の電動機のＩＤとをデータ表示部１Ｄ５に表示させると共に、受け取った検出圧力と圧力センサのＩＤとの組に、検出時刻を付加して検出データ記憶部１Ｄ４に記憶させる。
【０１２４】
次に、制御部１Ｄ６は、データ入力部１Ｄ２から終了要求が入力されたか否かを判定する（ＳＴ８）。
【０１２５】
制御部１Ｄ６は、この工程ＳＴ８で終了要求が入力されたと判定した場合（ＳＴ８：Ｙｅｓ）、その動作を終了する。
【０１２６】
一方、制御部１Ｄ６は、前述した工程ＳＴ８で終了要求が入力されていないと判定した場合（ＳＴ８：Ｎｏ）、前述した工程ＳＴ２に移行する。
【０１２７】
以上のような一連の動作により、制御部１Ｄ６はその動作を終了する。
【０１２８】
上述したように本実施の形態によれば、第１の電力線搬送モデム１Ｂと第２の電力線搬送モデム１Ｃとの間で検出圧力と圧力センサのＩＤとを電力線を介して送信するため、第１の電力線搬送モデム１Ｂと第２の電力線搬送モデム１Ｃとの間に専用線を敷設する必要がなくなるので、特殊な規格のプラグを必要とすることなく、専用線を敷設する費用を削減することが出来る。
【０１２９】
本実施の形態によれば、ビル設備のコミッショニングに関して必要な情報を効率的に収集することが出来る。
【０１３０】
本実施の形態によれば、各空調区画の温度を制御することが可能になると共に、改造コストを削減することが出来る。
【０１３１】
本実施の形態によれば、既存の電力線を使用することにより、既存のビル又は工場等の空調設備を改造する場合にも、第１の電力線搬送モデム１Ｂと第２の電力線搬送モデム１Ｃとの間に、新規に専用線を敷設する必要がなくなるので、専用線の敷設コストを削減することが出来る。
【０１３２】
＜第２の実施の形態＞
図６は、本発明の第２の実施の形態に係る空調設備の制御システム１１の一例を示す模式図である。なお、前述した実施の形態と同一部分には同一符号を付してその詳しい説明を省略し、ここでは主として異なる部分に関して説明する。また、以下の各実施の形態に関しても同様に重複した説明を省略する。
【０１３３】
本実施の形態に係る空調設備の制御システム１１は、第１の実施の形態の空調設備の制御システムに関し、ケーブルによる接続をなくすことにより接続の自由度をより一層高める観点から、第１の実施の形態における第１の圧力センサ１Ａ１と第１の電力線搬送モデム１Ｂとの間に、第１のＰＨＳモデム１Ｅ１と、第１のＰＨＳ１Ｅ２と、基地局１Ｅ３と、第２のＰＨＳ１Ｅ４と、第２のＰＨＳモデム１Ｅ５とを設けた構成となっている。
【０１３４】
第１のＰＨＳモデム１Ｅ１は、第１の圧力センサ１Ａ１から専用線であるＬＡＮケーブルを介して出力された検出値を示すディジタル信号をＰＨＳ用信号に変換し、変換の結果、得られたＰＨＳ用信号を、ＰＨＳ用専用ケーブルを介して接続された第１のＰＨＳ１Ｅ２に出力する。
【０１３５】
第１のＰＨＳ１Ｅ２は、基地局１Ｅ３を介して、基地局１Ｅ３のセル内に存在する第２のＰＨＳ１Ｅ４にＰＨＳ用信号を変調して電波信号として送信アンテナから送信する。
【０１３６】
第２のＰＨＳ１Ｅ４は、基地局１Ｅ３を介して、第１のＰＨＳ１Ｅ２から電波信号で送信された検出値と圧力センサのＩＤとを受信アンテナで受信し、受信した検出値と圧力センサのＩＤとを復調して得られた電波信号を復調して得られたＰＨＳ用信号を、ＰＨＳ用専用ケーブルを介して接続された第２のＰＨＳモデム１Ｅ５に出力する。
【０１３７】
第２のＰＨＳモデム１Ｅ５は、第２のＰＨＳ１Ｅ４から出力された検出値と圧力センサのＩＤとを含むＰＨＳ用信号をディジタル信号に変換し、変換の結果、得られたディジタル信号を、専用線であるＬＡＮケーブルを介して接続された第１の電力線搬送モデム１Ｂに出力する。
【０１３８】
なお、他の構成に関しては、前述した第1の実施の形態と同様の構成であるので、ここでは説明を省略する。
【０１３９】
上述したように本実施の形態によれば、第１の実施の形態の効果に加え、第１のＰＨＳ１Ｅ２と第２のＰＨＳ１Ｅ４とを用いて検出値と第１の圧力センサ１Ａ１のＩＤとを電波信号で送信するので、接続の自由度をより一層高めることが出来る
＜第３の実施の形態＞
図７は、本発明の第３の実施の形態に係る空調設備の制御システム１２の一例を示す模式図である。
【０１４０】
本実施の形態に係る空調設備の制御システム１２は、第１の実施の形態の空調設備の制御システム１に関し、ケーブルによる接続をなくすことにより接続の自由度をより一層高める観点から、第１の実施の形態における第２の電力線搬送モデム１Ｃと制御装置１Ｄとの間に、第３のＰＨＳモデム１Ｅ６と、第３のＰＨＳ１Ｅ７と、基地局１Ｅ８と、第４のＰＨＳ１Ｅ９と、第４のＰＨＳモデム１Ｅ１０とを設けた構成となっている。
【０１４１】
第３のＰＨＳモデム１Ｅ６は、第２の電力線搬送モデム１Ｃから出力された検出値を示すディジタル信号をＰＨＳ用信号に変換し、変換したＰＨＳ用信号を、ＰＨＳ用専用ケーブルを介して接続された第３のＰＨＳ１Ｅ７に出力する。
【０１４２】
第３のＰＨＳ１Ｅ７は、第３のＰＨＳモデム１Ｅ６から出力されたＰＨＳ用信号を電波信号に変換し、変換の結果、得られた電波信号を送信アンテナから基地局１Ｅ８を介して、基地局１Ｅ８のセル内に存在する第４のＰＨＳ１Ｅ９に送信する。
【０１４３】
第４のＰＨＳ１Ｅ９は、第３のＰＨＳ１Ｅ７から基地局１Ｅ８を介して送信された電波信号を受信し、受信した電波信号をＰＨＳ用信号に変換してＰＨＳ用専用ケーブルを介して接続された第４のＰＨＳモデム１Ｅ１０に出力する。
【０１４４】
第４のＰＨＳモデム１Ｅ１０は、第４のＰＨＳ１Ｅ９から出力されたＰＨＳ用信号をディジタル信号に変換して専用線であるＬＡＮケーブルを介して接続された制御装置１Ｄに出力する。
【０１４５】
なお、他の構成に関しては、前述した第１の実施の形態と同様の構成であるので、ここではその詳しい説明は省略する。
【０１４６】
上述したように本実施の形態によれば、第１の実施の形態の効果に加え、第２の電力線搬送モデム１Ｃと制御装置１Ｄとの間で、第３のＰＨＳ１Ｅ７と第４のＰＨＳ１Ｅ９とを用いて検出値と第１の圧力センサ１Ａ１のＩＤとを電波信号で送信するので、接続の自由度をより一層高めることが出来る。
【０１４７】
＜第４の実施の形態＞
図８は、本発明の第４の実施の形態に係る空調装置の制御システム１３の一例を示す模式図である。
【０１４８】
本実施の形態に係る空調設備の制御システム１３は、第１の実施の形態の空調設備の制御システム１の接続の自由度をより一層高める観点から、第１の実施の形態における第１の圧力センサ１Ａ１と第１の電力線搬送モデム１Ｂとの間に第２の実施の形態と同様に、第１のＰＨＳモデム１Ｅ１、第１のＰＨＳ１Ｅ２、第２のＰＨＳ１Ｅ４、及び第２のＰＨＳモデム１Ｅ５を設け、かつ、第２の電力線搬送モデム１Ｃと制御装置１Ｄとの間に第３の実施の形態と同様に、第３のＰＨＳモデム１Ｅ６、第３のＰＨＳ１Ｅ７、第４のＰＨＳ１Ｅ９、及び第４のＰＨＳモデム１Ｅ１０を設けた構成となっている。
【０１４９】
なお、他の構成は、前述した第１の実施の形態と同様であるので、ここではその説明を省略する。
【０１５０】
上述したように本実施の形態によれば、第1の実施の形態の効果に加え、第１の圧力センサ１Ａ１と第１の電力線搬送モデム１Ｂとの間で第１のＰＨＳ１Ｅ２と第２のＰＨＳ１Ｅ４とを用いて、第１の圧力センサ１Ａ１の検出値と第１の圧力センサ１Ａ１のＩＤとを電波信号で送信し、第２の電力線搬送モデム１Ｃと制御装置１Ｄとの間で第３のＰＨＳ１Ｅ７と第４のＰＨＳ１Ｅ９とを用いて第１の圧力センサ１Ａ１の検出値と第１の圧力センサ１Ａ１のＩＤとを電波信号で送信するので、接続の自由度をより一層高めることが出来る。
【０１５１】
＜第５の実施の形態＞
図９は、本発明の第５の実施の形態に係る空調設備の制御システム１４の一例を示す模式図である。
【０１５２】
本実施の形態に係る空調設備の制御システム１４は、第１の実施の形態の構成を、制御対象の空調設備を、ファンコイルユニット２Ｎを有する空調設備に変更した構成となっている。
【０１５３】
また、本実施の形態に係る空調設備の制御システム１４は、第１の実施の形態における第１の圧力センサ１Ａ１を、冷凍機２Ａとファンコイルユニット２Ｎとを接続する冷媒管２Ｂ´、２Ｄ´２Ｆ´、２Ｈ´内の圧力を検出する圧力センサ１Ａ１´に変更した構成となっている。
【０１５４】
なお、本実施の形態に係る圧力センサは、ファンコイルユニット２Ｎと第１の循環ポンプ２Ｃ´又は第２の循環ポンプ２Ｇとを接続する冷媒管に複数設けてもよいことはいうまでもない。
【０１５５】
この場合、両圧力センサと第１の電力線搬送モデムとの間に、両圧力センサの検出値の差を算出する圧力差算出部を別途設けるものとする。
【０１５６】
更に、本実施の形態では、センサは、ファンコイルユニット２Ｎの図示しない冷水バルブ又は温水バルブの開度を検出するセンサであってもよい。
【０１５７】
なお、本実施の形態では、センサは、ファンコイルユニットの入り口又は出口との温度を検出する複数の圧力センサであってもよい。
【０１５８】
また、本実施の形態では、センサは、ファンコイルユニットの図示しない冷水バルブ又は温水バルブの前後の温度を検出する複数の圧力センサであってもよい。
【０１５９】
更に、本実施の形態では、センサは、ファンコイルユニットの図示しない冷水制御バルブ又は温水制御バルブの開度を検出する複数のセンサであってもよい。
【０１６０】
なお、本実施の形態では、センサは、空調設備の図示しないファンコイルユニットの冷水制御バルブ又は温水制御バルブ内の冷媒の流量を検出するセンサであってもよい。
【０１６１】
また、本実施の形態に係る空調設備の制御システム１４は、第１の実施の形態における制御対象を、冷凍機２Ａから送出された冷水をファンコイルユニット２Ｎに送出するための循環ポンプ２Ｃ´に変更した構成となっている。
【０１６２】
更に、本実施の形態に係る空調設備の制御システム１４は、第１の実施の形態の構成に、制御指令と対象の電動機のＩＤとを制御装置１Ｄから電力線を介して循環ポンプ２Ｃ´を駆動する電動機に送信するための第３の電力線搬送モデム１Ｆと第４の電力線搬送モデム１Ｇとを追加した構成になっている。
【０１６３】
また、本実施の形態に係る制御装置は、第１の実施の形態に係る制御装置１Ｄを、前述した第１の実施の形態と同様の手法で、検出された圧力に基づいて、空調設備の循環ポンプを回転させる電動機の回転数を制御する制御装置１Ｄ´に置換した構成となっている。
【０１６４】
なお、本実施の形態では、制御装置１Ｄ´は、空調設備に設けられた複数の循環ポンプの駆動台数を制御する周知の台数制御の手法に基づいて、各循環ポンプを制御する機能を有していてもよい。
【０１６５】
また、本実施の形態における他の構成に関しては、前述した第1の実施の形態と同様であるので、ここではその説明を省略する。
【０１６６】
以上のような構成によれば、第１の実施の形態の効果に加え、ファンコイル２Ｎを有する空調設備に関しても、液ガス交換器、ファン、及び電動機を有する水冷式の空調設備と同様に、特殊な規格のプラグを必要とすることなく、専用線を敷設する費用を削減することが出来る。
【０１６７】
＜第６の実施の形態＞
図１０は、本発明の第６の実施の形態に係る空調設備の制御システム１５の一例を示す模式図である。
【０１６８】
本実施の形態に係る空調設備の制御システム１５は、第１の実施の形態に係る空調設備の制御システム１の実行する制御の実行精度をより一層高める観点から、第２の給気ダクト２Ｅ６の端部に設けられた第１の圧力センサ１Ａ１に加え、第２の給気ダクト２Ｅ６内に設けられ、第２の給気ダクト２Ｅ６内の圧力を検出し、検出値と圧力センサのＩＤとを示すディジタル信号を出力する第２の圧力センサ１Ａ２と、第１の圧力センサ１Ａ１により検出された検出圧力と第２の圧力センサ１Ａ２により検出された検出圧力との差を算出し、算出した差を示すディジタル信号を出力する検出差算出部１Ｈとを付加した構成となっている。
【０１６９】
更に、本実施の形態に係る空調設備の制御システムは、第１の実施の形態の制御装置１Ｄを検出差算出部１Ｈにより算出された差に基づいて、第１の実施の形態の制御装置と同様の手法により、ファン２Ｅ４の回転数を駆動する電動機２Ｅ５を制御する制御装置１Ｄ´´に置換した構成となっている。
【０１７０】
なお、第１の圧力センサは、空調設備の有するダンパ内の温度を検出するものに変更し、更に第２の圧力センサは、空調設備の有するダンパの外部の温度を検出するものに変更してもよい。
【０１７１】
また、本実施の形態では、検出差算出部１Ｈから出力されたディジタル信号を変調して得られた電波信号を送信アンテナから送信する無線送信装置と、無線送信装置により送信された電波信号を受信アンテナにより受信し、受信した電波信号を復調した後、得られたディジタル信号を第１の電力線搬送モデム１Ｂに出力する無線受信装置とを備えてもよい。
【０１７２】
更に、第２の電力線搬送モデム１Ｃから出力されたディジタル信号を変調して得られた電波信号を送信アンテナから送信する無線送信装置と、無線送信装置により送信された電波信号を受信し、受信した電波信号を復調して得られたディジタル信号を制御装置１Ｄ´´に出力する無線受信装置とを設けてもよい。
【０１７３】
なお、他の構成に関しては、前述した第１の実施の形態と同様であるので、ここではその説明を省略する。
【０１７４】
以上のような構成によれば、第１の実施の形態の効果に加え、複数の圧力センサを用いて空調設備の有するファン２Ｅ４を駆動する電動機２Ｅ５を制御するので、実行する制御の精度をより一層高めることが出来る。
【０１７５】
なお、この発明は、上記各実施の形態そのままに限定されるものではなく、実施段階ではその要旨を逸脱しない範囲で構成要素を変形して具体化出来る。例えば上記各実施の形態において、第１の圧力センサ１Ａ１と第１の電力線搬送モデム１Ｂとの間、又は第２の電力線搬送モデム１Ｃと制御装置１Ｄとの間で第１の圧力センサ１Ａ１の検出値と圧力センサのＩＤとを送信する手法は、光無線、赤外線、又はBluetooth等の無線を用いた手法の任意の手法に変更してもよい。また、上記各実施の形態では、ビルの空調設備を対象としたが、工場、病院、商業施設等の温度等を制御する空調設備に適用可能である。
【０１７６】
更に、上記各実施の形態に開示されている複数の構成要素の適宜な組み合せにより種々の発明を形成出来る。例えば、実施の形態に示される全構成要素から幾つかの構成要素を削除してもよい。また、異なる実施の形態に亘る構成要素を適宜組み合せてもよい。
【図面の簡単な説明】
【０１７７】
【図１】第１の実施の形態に係る空調設備の制御システム１の一例を示す模式図。
【図２】第１の実施の形態に係る空調設備の制御システム１の一例を示す機能ブロック図。
【図３】第１の実施の形態に係る空調設備の制御システム１に関し、第２の給気ダクト２Ｅ６内で第１の圧力センサ１Ａ１を設置する位置毎の空調設備へのエネルギーの入力比と、第２の給気ダクト２Ｅ６内の調和空気の流量比との関係の一例を示す模式図。
【図４】第１の実施の形態における空調設備と制御装置１Ｄとが相異なる階床に設けられている場合の空調設備と制御装置との接続例の一例に関して説明するための模式図。
【図５】第１の実施の形態に係る制御装置１Ｄの有する制御部１Ｄ６の動作を説明するためのフローチャート。
【図６】第２の実施の形態に係る空調設備の制御システム１１の一例を示す模式図。
【図７】第３の実施の形態に係る空調設備の制御システム１２の一例を示す模式図。
【図８】第４の実施の形態に係る空調装置の制御システム１３の一例を示す模式図。
【図９】第５の実施の形態に係る空調設備の制御システム１４の一例を示す模式図。
【図１０】第６の実施の形態に係る空調設備の制御システム１５の一例を示す模式図。
【符号の説明】
【０１７８】
１、１１、１２、１３、１４、１５…空調設備の制御システム、１Ａ１…第１の圧力センサ、１Ａ２…第２の圧力センサ、１Ｂ…第１の電力線搬送モデム、１Ｂ１…ディジタル信号受信部、１Ｂ２…Ｄ／Ａ変換部、１Ｂ３…アナログ信号、１Ｃ…第２の電力線搬送モデム、１Ｃ１…アナログ信号受信部、１Ｃ２…Ａ／Ｄ変換部、１Ｃ３…ディジタル信号出力部、１Ｄ、１Ｄ´、１Ｄ´´…制御装置、１Ｆ…第３の電力線搬送モデム、１Ｇ…第４の電力線搬送モデム、２、２´…冷却系統、２Ａ…冷凍機、２Ｂ…第１の冷媒管、２Ｃ…第１の循環ポンプ、２Ｄ…第２の冷媒管、２Ｅ１…還気ダクト、２Ｅ２…第１の給気ダクト、２Ｅ３…液ガス交換器、２Ｅ４…ファン、２Ｅ５…電動機、２Ｅ６…第２の給気ダクト、２Ｅ７…還気取り込み口、２Ｅ８…新鮮空気取り込み口、２Ｅ９…給気吹き出し口、２Ｆ…第３の冷媒管、２Ｇ…第２の循環ポンプ、２Ｈ…第４の冷媒管、２Ｉ…第５の冷媒管、２Ｊ…冷却塔、２Ｋ…第６の冷媒管、２Ｌ…第７の冷媒管、２Ｍ…第３の循環ポンプ、
【図１】
2005127642.tif 000003
【図２】
2005127642.tif 000004
【図３】
2005127642.tif 000005
【図４】
2005127642.tif 000006
【図５】
2005127642.tif 000007
【図６】
2005127642.tif 000008
【図７】
2005127642.tif 000009
【図８】
2005127642.tif 000010
【図９】
2005127642.tif 000011
【図１０】
2005127642.tif 000012